【手続補正書】
【提出日】平成18年9月27日(2006.9.27)
【手続補正１】
【補正対象書類名】明細書
【補正対象項目名】特許請求の範囲
【補正方法】変更
【補正の内容】
【特許請求の範囲】  
【請求項１】  制御データがＣＤ上にエンコードされる、ディジタル音楽ＣＤをコピープロテクトする方法であって、
ディジタル音楽ＣＤからのオーディオ・データの読み出しが妨害されるように、選択された制御データを不正確にする工程を有することを特徴とするコピープロテクト方法。
【請求項２】  請求項１記載のコピープロテクト方法であって、
前記不正確な制御データは、使用可能なデータ・リーダの誤り訂正装置によって訂正されることができないように構成されることを特徴とするコピープロテクト方法。
【請求項３】  請求項１又は２記載のコピープロテクト方法であって、
ＣＤ上にエンコードされた前記不正確なデータは、無視されるように、又は、該ディスク上のオーディオ・データの再生に対して一般的に影響を持たないように、構成されることを特徴とするコピープロテクト方法。
【請求項４】  請求項１乃至３のいずれか一記載のコピープロテクト方法であって、
ＣＤ上にエンコードされる前記不正確にされたデータは、ナビゲーション・データ及び／若しくはタイミング・データであることを特徴とするコピープロテクト方法。
【請求項５】  請求項４記載のコピープロテクト方法であって、
ＣＤ上にエンコードされる前記不正確にされたデータは、Ｐサブチャネル・データ若しくはＱサブチャネル・データであることを特徴とするコピープロテクト方法。
【請求項６】  請求項５記載のコピープロテクト方法であって、
Ｐサブチャネル及び／若しくはＱサブチャネルからのナビゲーション・データ及び／若しくはタイミング・データが修正されることを特徴とするコピープロテクト方法。
【請求項７】  請求項４乃至６のいずれか一記載のコピープロテクト方法であって、
該ディスク上のオーディオ・トラックの先頭及び長さを識別するＰサブチャネル・データが修正されることを特徴とするコピープロテクト方法。
【請求項８】  請求項４乃至７のいずれか一記載のコピープロテクト方法であって、
該ディスク上のオーディオ・トラックのＴｔｉｍｅを定義するＱサブチャネル・データが修正されることを特徴とするコピープロテクト方法。
【請求項９】  請求項８記載のコピープロテクト方法であって、
個々のオーディオ・トラックのＴｔｉｍｅが、対応するオーディオ・トラックに沿ったＴｔｉｍｅのプロファイルを変えるように修正されることを特徴とするコピープロテクト方法。
【請求項１０】  請求項９記載のコピープロテクト方法であって、
前記修正されたＴｔｉｍｅのプロファイルは、段階的、不連続的に変調若しくは変更されることを特徴とするコピープロテクト方法。
【請求項１１】  請求項４乃至１０のいずれか一記載のコピープロテクト方法であって、
該ディスクにわたってＡｔｉｍｅを定義するＱサブチャネル・データが修正されることを特徴とするコピープロテクト方法。
【請求項１２】  請求項１１記載のコピープロテクト方法であって、
前記Ａｔｉｍｅが、該ディスクにわたるＡｔｉｍｅのプロファイルを変えるように修正されることを特徴とするコピープロテクト方法。
【請求項１３】  請求項１２記載のコピープロテクト方法であって、
前記修正されたＡｔｉｍｅのプロファイルは、段階的、不連続的に変調若しくは変更されることを特徴とするコピープロテクト方法。
【請求項１４】  請求項４乃至１３のいずれか一記載のコピープロテクト方法であって、
他の制御データは不正確であることを特徴とするコピープロテクト方法。
【請求項１５】  制御データのフレームがデータ・リーダのフレーム・コンテンツ・バッファ内へ読み出される場合に用いられる、請求項１乃至１４のいずれか一記載のコピープロテクト方法であって、
一セクタにおいて不正確な制御データを有するデータ・フレームの数は、前記フレーム・コンテンツ・バッファに保持され得るデータ・フレーム数を超えるように構成されることを特徴とするコピープロテクト方法。
【請求項１６】  請求項１乃至１５のいずれか一記載のコピープロテクト方法であって、
ＣＤ上にエンコードされる前記制御データは、該ディスクのマスタリングに先立って変更されることを特徴とするコピープロテクト方法。
【請求項１７】  請求項１６記載のコピープロテクト方法であって、
前記マスタリング工程において用いられるエンコーダのパラメータは、Ｐサブチャネル・データ及び／若しくはＱサブチャネル・データを変えるように変更されることを特徴とするコピープロテクト方法。
【請求項１８】  請求項１６又は１７記載のコピープロテクト方法であって、
前記マスタリング工程において用いられるエンコーダのパラメータは、該マスタリングされたディスクのナビゲーション・データ及び／若しくはタイミング・データを変えるように変更されることを特徴とするコピープロテクト方法。
【請求項１９】  制御データがＣＤ上にエンコードされた、コピープロテクトされたディジタル音楽ＣＤであって、
ディジタル音楽ＣＤからのオーディオ・データの読み出しが妨害されるように、選択された制御データが不正確にされることを特徴とするコピープロテクトされたディジタル音楽ＣＤ。
【請求項２０】  請求項１９記載のコピープロテクトされたディジタル音楽ＣＤであって、
前記不正確な制御データは、使用可能なデータ・リーダの誤り訂正装置によって訂正されることができないように構成されることを特徴とするコピープロテクトされたディジタル音楽ＣＤ。
【請求項２１】  請求項１９又は２０記載のコピープロテクトされたディジタル音楽ＣＤであって、
ＣＤ上にエンコードされるナビゲーション・データ及び／若しくはタイミング・データが不正確にされることを特徴とするコピープロテクトされたディジタル音楽ＣＤ。
【請求項２２】  請求項１９乃至２１のいずれか一記載のコピープロテクトされたディジタル音楽ＣＤであって、
ＣＤ上にエンコードされるＰサブチャネル・データ若しくはＱサブチャネル・データが不正確にされることを特徴とするコピープロテクトされたディジタル音楽ＣＤ。
【請求項２３】  請求項２２記載のコピープロテクトされたディジタル音楽ＣＤであって、
Ｐサブチャネル及び／若しくはＱサブチャネルからのナビゲーション・データ及び／若しくはタイミング・データが修正されることを特徴とするコピープロテクトされたディジタル音楽ＣＤ。
【請求項２４】  請求項２２又は２３記載のコピープロテクトされたディジタル音楽ＣＤであって、
オーディオ・トラックの先頭及び長さを識別し、ＣＤ上にエンコードされるＰサブチャネル・データが修正されることを特徴とするコピープロテクトされたディジタル音楽ＣＤ。
【請求項２５】  請求項２２乃至２４のいずれか一記載のコピープロテクトされたディジタル音楽ＣＤであって、
該ディスク上のオーディオ・トラックのＴｔｉｍｅを定義するＱサブチャネル・データが修正されることを特徴とするコピープロテクトされたディジタル音楽ＣＤ。
【請求項２６】  請求項２５記載のコピープロテクトされたディジタル音楽ＣＤであって、
Ｔｔｉｍｅデータが、関連するオーディオ・トラックに沿ったＴｔｉｍｅのプロファイルを変えるように修正されることを特徴とするコピープロテクトされたディジタル音楽ＣＤ。
【請求項２７】  請求項２６記載のコピープロテクトされたディジタル音楽ＣＤであって、
前記修正されたＴｔｉｍｅのプロファイルは、段階的、不連続的に変調若しくは変更されることを特徴とするコピープロテクトされたディジタル音楽ＣＤ。
【請求項２８】  請求項２２乃至２７のいずれか一記載のコピープロテクトされたディジタル音楽ＣＤであって、
該ディスクにわたってＡｔｉｍｅを定義するＱサブチャネルが修正されることを特徴とするコピープロテクトされたディジタル音楽ＣＤ。
【請求項２９】  請求項２８記載のコピープロテクトされたディジタル音楽ＣＤであって、
前記Ａｔｉｍｅが、該ディスクにわたるＡｔｉｍｅのプロファイルを変えるように修正されることを特徴とするコピープロテクトされたディジタル音楽ＣＤ。
【請求項３０】  請求項２９記載のコピープロテクトされたディジタル音楽ＣＤであって、
前記修正されたＡｔｉｍｅのプロファイルは、段階的、不連続的に変調若しくは変更されることを特徴とするコピープロテクトされたディジタル音楽ＣＤ。